(57)【要約】【課題】光源からの光の透過効率を下げることなく、収差、口径食などの問題を解消し、原画像に忠実に、原画像をスクリーンに投影することのできる画像投影装置を提供することを目的とする。【解決手段】スクリーンに画像を投影する画像投影装置１０であって、画像を表示する表示パネル２１０と、表示パネル２１０を照射する光源１１２と、表示パネル２１０の主平面２１２に対して傾斜して配置され、表示パネル２１０に表示される画像をスクリーン上に投影する投影レンズ１８２と、表示パネル２１０と投影レンズ１８２の間に設けられ、光源１１２からの光源光を偏向する第１の偏向手段２２０とを備えた。【選択図】　　　図２
2004029238.tif 000002
【特許請求の範囲】
【請求項１】
光源からの光源光を照射し、表示パネルに表示された画像をスクリーンに投影する画像投影装置であって、
前記表示パネルの主平面に対して傾斜して配置され、前記表示パネルに表示される画像を前記スクリーン上に投影する投影レンズと、
前記表示パネルと前記投影レンズの間に設けられ、前記光源光の光線を前記投影レンズの主平面に垂直な方向に偏向する第１の偏向手段と
を備えたことを特徴とする画像投影装置。
【請求項２】
前記第１の偏向手段は、前記光源光の光線を前記投影レンズの主平面に垂直な方向に偏向する偏向面を有する第１のプリズムであることを特徴とする請求項１に記載の画像投影装置。
【請求項３】
前記第１の偏向手段は、前記表示パネルを通過した前記光源光の光軸に対して垂直に設けられた入射面を有する第１のプリズムであることを特徴とする請求項１または２に記載の画像投影装置。
【請求項４】
前記第１のプリズムは、前記光源光の波長に応じて定められた角度の頂角を有することを特徴とする請求項２または３に記載の画像投影装置。
【請求項５】
前記光源と前記表示パネルの間に設けられ、前記投影レンズに対して垂直な前記光源光の光線を前記表示パネルの主平面に垂直な方向に偏向する第２の偏向手段をさらに備えたことを特徴とする請求項１から４のいずれか一項に記載の画像投影装置。
【請求項６】
前記第２の偏向手段は、前記光源光の光線を前記表示パネルの主平面に垂直な方向に偏向する偏向面を有する第２のプリズムであることを特徴とする請求項５に記載の画像投影装置。
【請求項７】
前記第２の偏向手段は、前記光源光の光軸に対して垂直に設けられた入射面を有する第２のプリズムを有することを特徴とする請求項５または６に記載の画像投影装置。
【請求項８】
前記第２のプリズムは、前記光源光の波長に応じて定められた角度の頂角を有することを特徴とする請求項６または７に記載の画像投影装置。
【発明の詳細な説明】
【０００１】
【発明の属する技術分野】
この発明は、光源からの光源光を照射し、表示パネルに表示された画像をスクリーンに投影する画像投影装置に関する。
【０００２】
【従来の技術】
前面投影方式の画像投影装置は、表示パネルに表示された画像を反射型スクリーンに拡大して表示する。しかし、表示パネルに表示された画像を反射型スクリーンに対して垂直に投影すると、反射型スクリーンに投影される像が台形型に歪んでしまうという問題があった。この問題を解決する方法として、光源から出射される光源の光軸を反射型スクリーンの主平面に対して傾斜させることにより、反射型スクリーンに投影される画像の歪みを補正する方法が従来から知られている。
【０００３】
また、背面投影方式の画像投影装置においては、表示パネルと投影レンズを、透過型スクリーンに対して傾斜させることにより、装置の奥行き寸法を小さくする技術が知られている。
【０００４】
【発明が解決しようとする課題】
しかし、上述の画像投影装置のように、光源からの光軸をスクリーンの主平面に対して傾斜させた場合、表示パネルにおける光入射面は、光源光軸に対して傾斜して配置される。したがって、光源から表示パネルに入射する光線の一部が表示パネルの光入射面において反射されてしまい、表示パネルにおける透過効率が低下するという問題があった。
【０００５】
この問題を解決する方法として、例えば特開平６−２８９３５４号公報では、光源光軸に対して垂直な面と水平な面とを交互に有する表示パネルを提案している。しかし、このような表示パネルの作成は容易ではなく、また非常に高価であった。
【０００６】
本発明は、上記課題に鑑みてなされたものであり、台形歪の問題を解消しつつ、かつ光源からの光を効率的に利用して、原画像を正確にスクリーンに投影することのできる画像投影装置を提供することを目的とする。
【０００７】
【課題を解決するための手段】
上記目的を達成するため、請求項１にかかる発明は、光源からの光源光を照射し、表示パネルに表示された画像をスクリーンに投影する画像投影装置であって、前記表示パネルの主平面に対して傾斜して配置され、前記表示パネルに表示される画像を前記スクリーン上に投影する投影レンズと、前記表示パネルと前記投影レンズの間に設けられ、前記光源光の光線を前記投影レンズの主平面に垂直な方向に偏向する第１の偏向手段とを備えたことを特徴とする。
【０００８】
この請求項１の発明によれば、表示パネルと投影レンズの間に設けられた第１の偏向手段は、表示パネルの主平面に垂直に入射した光源光の光線を、投影レンズの入射面に対して垂直な方向に屈折させることができる。これにより、投影レンズの入射面に対して透過光が斜めに入射することにより生じる収差、口径食などの問題を避けることができる。したがって、表示パネルを投影レンズに傾斜させて配置することにより台形歪みを光学的に補正しつつ、かつ光源からの光の透過効率を下げることなく効率的に画像をスクリーンに投影することができる。
【０００９】
また、請求項２にかかる発明は、請求項１に記載の画像投影装置において、前記第１の偏向手段は、前記光源光の光線を前記投影レンズの主平面に垂直な方向に偏向する偏向面を有する第１のプリズムであることを特徴とする。
【００１０】
この請求項２の発明によれば、第１のプリズムの偏向面は、光源光の光線を投影レンズの主平面に垂直な方向に偏向するように設けられているので、光源光は投影レンズに対して垂直に入射する。これにより、投影レンズにおいて収差、口径食などの問題が生じ、スクリーンに投影される画像の輝度が低下するのを避けることができる。したがって、台形歪を解消しつつ、光源光を効率的に利用して、原画像をスクリーンに投影することができる。
【００１１】
また、請求項３にかかる発明は、請求項１または２に記載の画像投影装置において、前記第１の偏向手段は、前記表示パネルを通過した前記光源光の光軸に対して垂直に設けられた入射面を有する第１のプリズムであることを特徴とする。
【００１２】
この請求項３の発明によれば、第１のプリズムの入射面は、表示パネルを通過した光源光の光軸に対して垂直に設けられているので、第１のプリズムにおいて光源光が反射するのを避け、かつ第１のプリズムに入射する光束が細くなることにより透過効率が低下するのを避けることができる。したがって、台形歪を解消しつつ、光源光を効率的に利用して、原画像をスクリーンに投影することができる。
【００１３】
また、請求項４にかかる発明は、請求項２または３に記載の画像投影装置において、前記第１のプリズムは、前記光源光の波長に応じて定められた角度の頂角を有することを特徴とする。
【００１４】
この請求項４の発明によれば、第１のプリズムの頂角の角度は、光源光の波長に応じて定められている。これにより、プリズムを透過した透過光の光線と投影レンズの光軸とがずれることにより、スクリーンに投影される画像において色ずれが生じるのを避けることができるので、スクリーンに投影される画像の色再現性を良好に保つことができる。
【００１５】
また、請求項５にかかる発明は、請求項１から４のいずれか一項に記載の画像投影装置において、前記光源と前記表示パネルの間に設けられ、前記投影レンズに対して垂直な前記光源光の光線を前記表示パネルの主平面に垂直な方向に偏向する第２の偏向手段をさらに備えたことを特徴とする。
【００１６】
この請求項５の発明によれば、第１の偏向手段および第２の偏向手段により、光源光を２度偏向することができる。すなわち、光源から投影レンズに対して垂直に照射した光源光を、表示パネルの主平面に垂直な方向に偏向することができるので、台形歪を解消し、光源光の光を効率的に利用することができる。さらに、投影レンズに垂直な方向に光源光を照射させることができるので、光源を適切な場所に配置することにより、画像投影装置の本体のサイズをより小さくすることができる。
【００１７】
また、請求項６にかかる発明は、請求項５に記載の画像投影装置において、前記第２の偏向手段は、前記光源光の光線を前記表示パネルの主平面に垂直な方向に偏向する偏向面を有する第２のプリズムであることを特徴とする。
【００１８】
この請求項６の発明によれば、第２のプリズムの偏向面は、光源光の光線を表示パネルの主平面に垂直な方向に偏向するように設けられているので、光源光は表示パネルに対して垂直に入射する。これにより、表示パネルにおいて光源光が反射する、または表示パネルに入射する光束が細くなることにより透過効率が低下するのを避けることができる。したがって、台形歪を解消しつつ、光源光を効率的に利用して、原画像をスクリーンに投影することができる。
【００１９】
また、請求項７にかかる発明は、請求項５または６に記載の画像投影装置において、前記第２の偏向手段は、前記光源光の光軸に対して垂直に設けられた入射面を有する第２のプリズムを有することを特徴とする。
【００２０】
この請求項７の発明によれば、第２のプリズムの入射面は、光源光の光軸に対して垂直に設けられているので、第２のプリズムにおいて光源光が反射するのを避け、かつ第２のプリズムに入射する光束が細くなることにより透過効率が低下するのを避けることができる。したがって、台形歪を解消しつつ、光源光を効率的に利用して、原画像をスクリーンに投影することができる。
【００２１】
また、請求項８にかかる発明は、請求項６または７に記載の画像投影装置において、前記第２のプリズムは、前記光源光の波長に応じて定められた角度の頂角を有することを特徴とする。
【００２２】
この請求項８の発明によれば、第２のプリズムの頂角の角度は、光源光の波長に応じて定められている。これにより、第２のプリズムを透過した透過光の光線と投影レンズの光軸とがずれることにより、スクリーンに投影される画像において色ずれが生じるのを避けることができるので、スクリーンに投影する画像の色再現性を良好に保つことができる。
【００２３】
【発明の実施の形態】
以下に添付図面を参照して、この発明にかかる画像投影装置の好適な実施の形態を詳細に説明する。なお、発明の実施の形態に記載の「投影レンズ側プリズム」および「光源側プリズム」は、それぞれ、特許請求の範囲に記載の「第１のプリズム」および「第２のプリズム」の一例である。
【００２４】
（実施の形態１）
図１は、この発明の実施の形態１にかかる画像投影装置１０の構成を示すブロック図である。画像投影装置１０は、主に、白色光を照射する光源部１１０と、白色光をＲＧＢの各成分の光に分離するダイクロックミラー１３０，１３２と、ＲＧＢ各色光に対して設けられたＢ成分投影系ユニット２００、Ｇ成分投影系ユニット３００、およびＲ成分投影系ユニット４００と、ＲＧＢ各色光を色合成するクロスプリズム１８０と、色合成された光をスクリーン（図示せず）に投影する投影レンズ１８２とを備えている。
【００２５】
光源部１１０は、白色光を照射する超高圧水銀ランプ１１２と、超高圧水銀ランプ１１２により照射された白色光を反射する楕円曲面反射板１１４とを有している。なお、楕円曲面反射板１１４にかえて、自由曲面反射板を有してもよい。
【００２６】
楕円曲面反射板１１４によって反射された光源光は、マルチレンズ（インテグレータ）１２０を介して、ある範囲において均一の明るさの光に変換される。さらに、偏向板１２２は、マルチレンズ１２０を通過した光源光の偏波面を揃える。偏向板１２２は、偏向ビームスプリッタなどであってもよい。
【００２７】
さらに、コンデンサーレンズ１２４は、偏向板１２２を通過した光源光を集光する。ミラー１２６は、コンデンサーレンズ１２４により集光された光源光を屈折し、ダイクロックミラー１３０に入射させる。ダイクロックミラー１３０，１３２は、光源光をＲＧＢ各成分の光に分解する。ダイクロックミラー１３０により分離されたＢ成分の光は、ミラー１３４により屈折し、Ｂ成分投影系ユニット２００に入る。
【００２８】
Ｂ成分投影系ユニット２００は、コリメートレンズ２０２と、表示パネル２１０と、投影レンズ側プリズム２２０とを有している。表示パネル２１０は、例えば透過型液晶ライトバルブであってもよい。スクリーンに投影される画像における台形歪を解消すべく、表示パネル２１０は、投影レンズ１８２に対して斜めに配置されている。
【００２９】
Ｂ成分投影系ユニット２００においてコリメートレンズ２０２により平行光にされたＢ成分の光は、表示パネル２１０を照射する。表示パネル２１０を透過したＢ成分の光は、投影レンズ側プリズム２２０によって偏向された後、近傍に構成されたクロスプリズム１８０により、Ｇ成分の光、Ｒ成分の光と合成される。そして、合成後の光が、投影レンズ１８２によって図示せぬスクリーン面に結像される。
【００３０】
ダイクロックミラー１３０を透過し、ダイクロックミラー１３２により分離されたＧ成分の光は、Ｇ成分投影系ユニット３００に入る。また、ダイクロックミラー１３０およびダイクロックミラー１３２を透過したＲ成分の光は、さらにコリメートレンズ１３６、ミラー１３８、コリメートレンズ１４０、およびミラー１４２を経てＲ成分投影系ユニット４００に入る。
【００３１】
なお、Ｇ成分投影系ユニット３００およびＲ成分投影系ユニット４００の構成は、Ｂ成分投影系ユニット２００の構成と同様であるので説明を省略する。
【００３２】
図２は、図１に示す画像投影装置１０に特徴的な構成を模式的に示している。なお、図２においては、光源部１１０と表示パネル２１０の間での光軸の屈折は省略して示している。
【００３３】
表示パネル２１０は、投影レンズ１８２に対して傾いて配置されている。すなわち、表示パネル２１０の主平面である入射面２１２は、投影レンズ１８２の主平面１８３に対して傾斜している。表示パネル２１０の入射面２１２はまた、Ｂ成分の光の光軸５１０に対して垂直に配置されている。
【００３４】
ここで、図３を参照しつつ、表示パネル２１０と、表示パネル２１０に入射する光の光軸との関係について説明する。図３は、表示パネル２１０と、表示パネル２１０に入射する光の光軸５１０との関係を示す図である。
【００３５】
表示パネル２１０Ａは、光軸５１０に垂直な方向に入射面２１２Ａを向けて配置されている。ここで、表示パネル２１０Ａにおける入射面２１２Ａの面積をＡとする。一方、表示パネル２１０Ｂは、表示パネル２１０Ａを光軸５１０に垂直な方向から角度θだけ傾斜した状態に配置されている。表示パネル２１０Ｂにおける入射面２１２Ｂの光軸５１０に投影された領域の面積Ｂは、
Ｂ＝Ａｃｏｓθ（０°＜θ＜９０°）　　・・・（１）
となる。ここで、０＜ｃｏｓθ＜１なので、Ｂ＜Ａである。すなわち、入射面２１２が光軸５１０に垂直な方向に対して傾斜すると、入射面２１２に入射する光束が細くなる。また、入射する光のうち反射光成分が増加する。したがって、表示パネル２１０における光の透過効率が低下する。そこで、入射面２１２が、入射光に対して垂直になるように配置するのが望ましい。
【００３６】
ここで、説明を実施の形態１にかかる画像投影装置１０に戻す。図２に示すように、実施の形態１にかかる画像投影装置１０においては、表示パネル２１０の入射面２１２は、光軸５１０に対して垂直に設けられているので、表示パネル２１０を透過するときに透過効率が低下するのを避けることができる。
【００３７】
また、投影レンズ側プリズム２２０は、表示パネル２１０と投影レンズ１８２の間に配置されている。投影レンズ側プリズム２２０は、表示パネル２１０を透過した後の光を偏向して、クロスプリズム１８０を介して投影レンズ１８２へ導く。投影レンズ側プリズム２２０の入射面２２２は、光軸５１０に対して垂直に配置されている。
【００３８】
このように、投影レンズ側プリズム２２０の入射面２２２は、光軸５１０に対して垂直に設けられているので、投影レンズ側プリズム２２０を透過するときに、反射構成分の増加等により光の透過効率が低下するのを避けることができる。
【００３９】
また、投影レンズ側プリズム２２０の入射面２２２および偏向面２２４により形成される頂角２２６は、投影レンズ側プリズム２２０を通過する光の波長、すなわちＢ成分の光の波長における屈折率に基づいて定められた角度に設けられている。具体的には、入射面２２２に入射したＢ成分の光が投影レンズ１８２の主平面１８３に対して垂直な方向に屈折するような角度εに設けられている。
【００４０】
したがって、投影レンズ側プリズム２２０は、表示パネル２１０を透過した光の光線を投影レンズ１８２の主平面１８３に対して垂直な方向に偏向することができる。したがって、投影レンズ１８２は、光源部１１０において照射された光を効率的に利用して、画像を投影することができる。
【００４１】
さらに、頂角２２６の大きさは、投影レンズ側プリズム２２０を通過する光の波長に応じて定められているので、投影レンズ側プリズム２２０に入射した光のうち所定の波長の光の光線を、投影レンズ１８２の主平面１８３に垂直な方向に偏向することができ、原画像の色と異なる色の光が投影レンズ１８２に入射するのを避けることができる。
【００４２】
（実施の形態２）
図４は、実施の形態２にかかる画像投影装置１０に特徴的な構成を模式的に示す図である。なお、図４においては、光源部１１０と光源側プリズム２３０の間での光軸の屈折は省略して示している。実施の形態２にかかる画像投影装置１０は、実施の形態１にかかる画像投影装置１０の構成に加えて光源側プリズム２３０をさらに備えている。また、本実施の形態２においては、光源部１１０は、投影レンズ１８２の主平面１８３に垂直な方向を光軸とするような光源光を照射する。すなわち、光源部１１０から照射される光源光の光軸５１０と、投影レンズ側プリズム２２０により偏向された後の光の光軸５２２とは平行である。この点で、実施の形態１にかかる画像投影装置１０と異なる。
【００４３】
光源側プリズム２３０は、表示パネル２１０に隣接し、かつ表示パネル２１０よりも光源部１１０側に配置されている。光源側プリズム２３０は、光源部１１０からの光を偏向して表示パネル２１０へ導く。
【００４４】
光源側プリズム２３０の入射面２３２は、光軸５１０に対して垂直に設けられている。また、光源側プリズム２３０の入射面２３２および偏向面２３４により形成される頂角２３６は、投影レンズ側プリズム２２０を通過する光の波長、すなわちＢ成分の光の波長における屈折率に基づいて定められた角度ε’に設けられているので、光源側プリズム２３０を透過した透過光の光軸と投影レンズに対する光軸とがずれるのを避けることができる。
【００４５】
このように、実施の形態２によれば、画像投影装置１０は、光源側プリズム２３０を備えているので、光源部１１０が投影レンズ１８２の主平面１８３に対して垂直な方向に光源光を照射した場合でも、主平面１８３に対して傾斜して配置した表示パネル２１０の入射面２２２に対して垂直に光源光を入射させることができる。
【００４６】
また、光源光が主平面１８３に垂直な方向に照射されるような位置に光源部１１０を配置することができるので、光源光が主平面１８３に対して斜めに照射されるような位置に光源部１１０を配置した場合に比べて、画像投影装置１０の本体のサイズを小さくすることができる。
【００４７】
さらに、光源側プリズム２３０は、光軸５２２に平行な光軸５１０を表示パネル２１０の入射面２１２に垂直な方向の光軸５２０に偏向するので、表示パネル２１０において光の透過効率が低下するのを避けることができる。また、入射面２３２は、光軸５１０に対して垂直に設けられているので、光源側プリズム２３０において、反射構成分の増加等により、透過効率が低下するのを避けることができる。
【００４８】
以上、実施の形態１および実施の形態２における画像投影装置１０の特徴的な構成について、Ｂ成分投影系ユニット２００を例に説明したが、Ｇ成分投影系ユニット３００およびＲ成分投影系ユニット４００においても同様の構成を有している。
【００４９】
なお、Ｇ成分投影系ユニット３００におけるプリズムの頂角の角度εおよび角度ε’は、Ｇ成分の光の波長に基づいて定められている。また、Ｒ成分投影系ユニット４００におけるプリズムの頂角の角度εおよび角度ε’は、Ｒ成分の光の波長に基づいて定められている。
【００５０】
また、実施の形態１および実施の形態２においては、表示パネル２１０の画像中心を光軸５１０および光軸５２０が貫通するように、表示パネル２１０が配置されたが、表示パネル２１０の位置は、これに限定されない。例えば、表示パネル２１０は、光軸５１０および光軸５２０に対して垂直な方向にシフトしてもよい。
【００５１】
【発明の効果】
以上説明したように、請求項１にかかる発明によれば、表示パネルと投影レンズの間に設けられた第１の偏向手段は、表示パネルの主平面に垂直に入射した光源光の光線を、投影レンズの入射面に対して垂直な方向に屈折させることができる。これにより、投影レンズの入射面に対して透過光が斜めに入射することにより生じる収差、口径食などの問題を避けることができる。したがって、表示パネルを投影レンズに傾斜させて配置することにより台形歪みを光学的に補正しつつ、かつ光源からの光の透過効率を下げることなく効率的に画像をスクリーンに投影することができるという効果を奏する。
【００５２】
また、請求項２にかかる発明によれば、第１のプリズムの偏向面は、光源光の光線を投影レンズの主平面に垂直な方向に偏向するように設けられているので、光源光は投影レンズに対して垂直に入射する。これにより、投影レンズにおいて収差、口径食などの問題が生じ、スクリーンに投影される画像の輝度が低下するのを避けることができる。したがって、台形歪を解消しつつ、光源光を効率的に利用して、原画像をスクリーンに投影することができるという効果を奏する。
【００５３】
また、請求項３にかかる発明によれば、第１のプリズムの入射面は、表示パネルを通過した光源光の光軸に対して垂直に設けられているので、第１のプリズムにおいて光源光が反射するのを避け、かつ第１のプリズムに入射する光束が細くなることにより透過効率が低下するのを避けることができる。したがって、台形歪を解消しつつ、光源光を効率的に利用して、原画像をスクリーンに投影することができるという効果を奏する。
【００５４】
また、請求項４にかかる発明によれば、第１のプリズムの頂角の角度は、光源光の波長に応じて定められている。これにより、プリズムを透過した透過光の光線と投影レンズの光軸とがずれることにより、スクリーンに投影される画像において色ずれが生じるのを避けることができるので、スクリーンに投影される画像の色再現性も良好に保つことができるという効果を奏する。
【００５５】
また、請求項５にかかる発明によれば、第１の偏向手段および第２の偏向手段により、光源光を２度偏向することができる。すなわち、光源から投影レンズに対して垂直に照射した光源光を、表示パネルの主平面に垂直な方向に偏向することができるので、台形歪を解消し、光源光の光を効率的に利用することができる。さらに、投影レンズに垂直な方向に光源光を照射させることができるので、光源を適切な場所に配置することにより、画像投影装置の本体のサイズをより小さくすることができるという効果を奏する。
【００５６】
また、請求項６にかかる発明によれば、第２のプリズムの偏向面は、光源光の光線を表示パネルの主平面に垂直な方向に偏向するように設けられているので、光源光は表示パネルに対して垂直に入射する。これにより、表示パネルにおいて光源光が反射する、または表示パネルに入射する光束が細くなることにより透過効率が低下するのを避けることができる。したがって、台形歪を解消しつつ、光源光を効率的に利用して、原画像をスクリーンに投影することができるという効果を奏する。
【００５７】
また、請求項７にかかる発明によれば、第２のプリズムの入射面は、光源光の光軸に対して垂直に設けられているので、第２のプリズムにおいて光源光が反射するのを避け、かつ第２のプリズムに入射する光束が細くなることにより透過効率が低下するのを避けることができる。したがって、台形歪を解消しつつ、光源光を効率的に利用して、原画像をスクリーンに投影することができるという効果を奏する。
【００５８】
また、請求項８にかかる発明によれば、第２のプリズムの頂角の角度は、光源光の波長に応じて定められている。これにより、第２のプリズムを透過した透過光の光線と投影レンズの光軸とがずれることにより、スクリーンに投影される画像において色ずれが生じるのを避けることができるので、スクリーンに投影される画像の色再現性を良好に保つことができるという効果を奏する。
【図面の簡単な説明】
【図１】実施の形態１にかかる画像投影装置の概略構成を示す図である。
【図２】図１に示す画像投影装置に特徴的な構成を模式的に示す図である。
【図３】表示パネルと入射光との関係を示す図である。
【図４】実施の形態２にかかる画像投影装置に特徴的な構成を模式的に示す図である。
【符号の説明】
１０　画像投影装置
１１０　光源部
１１２　超高圧水銀ランプ
１１４　楕円曲面反射板
１２０　マルチレンズ
１２２　偏向板
１２４　コンデンサーレンズ
１３０，１３２　ダイクロックミラー
１８０　クロスプリズム
１８２　投影レンズ
２００　Ｂ成分投影系ユニット
２０２　コリメートレンズ
２１０　表示パネル
２２０　投影レンズ側プリズム
２３０　光源側プリズム
３００　Ｇ成分投影系ユニット
４００　Ｒ成分投影系ユニット
５１０，５１２，５２０，５２２　光軸
【図１】
2004029238.tif 000003
【図２】
2004029238.tif 000004
【図３】
2004029238.tif 000005
【図４】
2004029238.tif 000006